【手続補正書】
【提出日】令和2年7月30日(2020.7.30)
【手続補正１】
【補正対象書類名】特許請求の範囲
【補正対象項目名】全文
【補正方法】変更
【補正の内容】
【特許請求の範囲】
【請求項１】
メディアデータを検索する方法であって、
クライアントデバイスのストリーミングクライアントが、ビデオエレメンタリストリームをカプセル化するメディアビットストリームのシステムレベル情報を解析することと、ここで、前記システムレベル情報は、前記ビデオエレメンタリストリームが１つまたは複数の付加拡張情報（ＳＥＩ）メッセージと前記ＳＥＩメッセージの各々についてのペイロードタイプとを含むことを示す、
前記ストリーミングクライアントが、前記システムレベル情報から前記ペイロードタイプを、および、前記ビデオエレメンタリストリームから前記１つまたは複数のＳＥＩメッセージを抽出することと、
前記ストリーミングクライアントが、前記１つまたは複数のＳＥＩメッセージおよび前記ペイロードタイプを前記クライアントデバイスの１つまたは複数の処理ユニットに送ることと、
前記ストリーミングクライアントが、前記システムレベル情報に基づいて、前記メディアビットストリームを検索するかどうかを決定することと
を備える方法。
【請求項２】
前記システムレベル情報は、前記ビデオエレメンタリストリームにおけるクローズドキャプションのためのＳＥＩメッセージの存在、前記システムレベルで動作するユニットが前記クローズドキャプションをレンダリングできる必要があるかどうか、前記クローズドキャプションのための記述情報、クローズドキャプションの複数のセットが前記ビデオエレメンタリストリーム中に存在するかどうか、高ダイナミックレンジ（ＨＤＲ）フォーマットのためのマスタリングカラーボリューム情報、前記ＨＤＲフォーマットのためのコンテンツ輝度レベル情報、前記ＨＤＲフォーマットのための色再マッピング情報（ＣＲＩ）メッセージ、または前記ＨＤＲフォーマットのための専有情報、のうちの１つまたは複数を示す、請求項１に記載の方法。
【請求項３】
前記システムレベル情報は、前記メディアビットストリームに含まれる前記ビデオエレメンタリストリームのビデオデータをカプセル化するファイルについてのファイルフォーマットレベル、前記メディアビットストリームについてのマニフェストファイル、前記メディアビットストリームのＭＰＥＧ−２トランスポートストリーム（ＴＳ）レベル、前記メディアビットストリームのＭＰＥＧメディアトランスポート（ＭＭＴ）レベル、または前記メディアビットストリームの動的適応ストリーミングオーバＨＴＴＰ（ＤＡＳＨ）レベルのうちの１つまたは複数における情報を備える、請求項１に記載の方法。
【請求項４】
前記システムレベル情報を解析することは、前記システムレベル情報を含む１つまたは複数のコーディング非依存コードポイント（ＣＩＣＰ）メッセージを解析することを備える、請求項１に記載の方法。
【請求項５】
前記ＣＩＣＰメッセージを解析することは、前記ＣＩＣＰメッセージを含むメディアプレゼンテーション記述（ＭＰＤ）を解析することを備える、請求項４に記載の方法。
【請求項６】
前記システムレベル情報を解析することは、前記システムレベル情報を含む１つまたは複数の動的適応ストリーミングオーバＨＴＴＰ（ＤＡＳＨ）記述子を含むメディアプレゼンテーション記述（ＭＰＤ）を解析することを備える、請求項１に記載の方法。
【請求項７】
前記システムレベル情報を解析することは、ファイルフォーマットデータに含まれるサンプルエントリ情報を解析することを備え、前記サンプルエントリ情報は、前記システムレベル情報を含む、請求項１に記載の方法。
【請求項８】
前記ファイルフォーマットデータは、前記メディアビットストリームのＩＳＯベースメディアファイルフォーマット（ＢＭＦＦ）ファイルのデータを備える、請求項７に記載の方法。
【請求項９】
前記システムレベル情報を解析することは、前記システムレベル情報についての値を有するシンタックスエレメントを含む文字列を解析することを備え、前記文字列は、前記ビデオエレメンタリストリームが複数のＳＥＩメッセージペイロードタイプのうちの１つまたは複数を含むかどうか、前記ＳＥＩメッセージの含まれるペイロードタイプがシグナリングされるかどうか、または前記ペイロードタイプのうちの１つまたは複数についてのユーザ定義されたフィールド、のうちの１つまたは複数を示す情報を含む、請求項１に記載の方法。
【請求項１０】
前記文字列が前記メディアビットストリームのシステムレイヤ情報によって継承されるかどうかを示す情報を解析することをさらに備える、請求項９に記載の方法。
【請求項１１】
メディアデータを検索するためのデバイスであって、
ビデオエレメンタリストリームをカプセル化するメディアビットストリームのシステムレベル情報を解析するための手段と、ここで、前記システムレベル情報は、前記ビデオエレメンタリストリームが１つまたは複数の付加拡張情報（ＳＥＩ）メッセージと前記ＳＥＩメッセージの各々についてのペイロードタイプとを含むことを示す、
前記システムレベル情報から前記ペイロードタイプを、および、前記ビデオエレメンタリストリームから前記１つまたは複数のＳＥＩメッセージを抽出するための手段と、
前記１つまたは複数のＳＥＩメッセージおよび前記ペイロードタイプを前記デバイスの１つまたは複数の処理ユニットに送るための手段と、
前記システムレベル情報に基づいて、前記メディアビットストリームを検索するかどうかを決定するための手段と
を備えるデバイス。
【請求項１２】
メディアデータを送信する方法であって、
コンテンツ作成デバイスのカプセル化ユニットが、前記コンテンツ作成デバイスのビデオエンコーダからビデオエレメンタリストリームを受信することと、ここで、前記ビデオエレメンタリストリームは、１つまたは複数の付加拡張情報（ＳＥＩ）メッセージを含む、
前記カプセル化ユニットが、前記１つまたは複数のＳＥＩメッセージの各々についてのペイロードタイプを決定することと、
前記カプセル化ユニットが、メディアビットストリームにおいて前記ビデオエレメンタリストリームをカプセル化することと、
前記カプセル化ユニットが、前記メディアビットストリームのためのシステムレベル情報を生成することと、ここで、前記システムレベル情報は、前記ビデオエレメンタリストリームが前記１つまたは複数のＳＥＩメッセージと前記ＳＥＩメッセージの各々についての前記ペイロードタイプとを含むことを示す、
を備え、
ここにおいて、前記システムレベル情報を生成することは、前記メディアビットストリームが、１つまたは複数のクライアントデバイスが検出するのに適しているかどうかを示すために前記システムレベル情報を生成することを備える、方法。
【請求項１３】
前記システムレベル情報を生成することは、前記システムレベル情報を含む１つまたは複数のコーディング非依存コードポイント（ＣＩＣＰ）メッセージを生成することを備える、請求項１２に記載の方法。
【請求項１４】
メディアデータを送信するためのデバイスであって、
ビデオエンコーダからビデオエレメンタリストリームを受信するための手段と、ここで、前記ビデオエレメンタリストリームは、１つまたは複数の付加拡張情報（ＳＥＩ）メッセージを含む、
前記１つまたは複数のＳＥＩメッセージの各々についてのペイロードタイプを決定するための手段と、
メディアビットストリームにおいて前記ビデオエレメンタリストリームをカプセル化するための手段と、
前記メディアビットストリームのためのシステムレベル情報を生成するための手段と、ここで、前記システムレベル情報は、前記ビデオエレメンタリストリームが前記１つまたは複数のＳＥＩメッセージと前記ＳＥＩメッセージの各々についての前記ペイロードタイプとを含むことを示す、
を備え、
ここにおいて、前記システムレベル情報を生成するための前記手段は、前記メディアビットストリームが、１つまたは複数のクライアントデバイスが検出するのに適しているかどうかを示すために前記システムレベル情報を生成するための手段を備える、デバイス。
【請求項１５】
命令を記憶しているコンピュータ読取可能な記憶媒体であって、前記命令は、実行されると、プロセッサに、請求項１ないし１０、１２、または１３のいずれかに記載の方法を行わせる、コンピュータ読取可能な記憶媒体。